(57)【要約】【課題】  基板ボックス内の回路基板の点検、特に裏面の点検を容易化するとともに、基板ボックスのベース部材、カバー部材及び回路基板を容易に着脱して基板ボックスのベース部材及びカバー部材のリサイクル使用を容易化する。【解決手段】  遊技機の後側に設けられたボックス装着部１０１に対し、回路基板１２２を収納するベース部材１３０及びカバー部材１５０を備えた基板ボックス１２０が装着される。基板ボックス１２０のベース部材１３０及びカバー部材１５０は合成樹脂材によってそれぞれ個別に形成されている。【選択図】        図３
2005279260.tif 000002
【特許請求の範囲】
【請求項１】
遊技機の後側に設けられたボックス装着部に対し、回路基板を収納するベース部材及びカバー部材を備えた基板ボックスが装着された遊技機であって、
前記基板ボックスのベース部材及びカバー部材は合成樹脂材によってそれぞれ個別に形成されていることを特徴とする遊技機。
【発明の詳細な説明】
【技術分野】
【０００１】
この発明は、例えば、パチンコ機、スロットマシン等の遊技機に関する。
【背景技術】
【０００２】
従来、パチンコ機、スロットマシン等の遊技機において、遊技機の後側に設けられたボックス装着部に対し、回路基板を収納するベース部材及びカバー部材を備えた基板ボックスが装着されている。
また、この種の基板ボックスにおいて、ベース部材に対し回路基板がビスによって止着された後、そのベース部材に対しカバー部材が閉止部材によって閉じ状態に止着されることで基板ボックス内に回路基板が収納されるようになっている。
そして、回路基板が収納された基板ボックスは、そのベース部材において、ボックス装着部に対しビスによって止着されるようになっているのが一般的である。
また、基板ボックスのベース部材の上縁部に左右方向の軸が設けられ、その軸をボックス装着部に設けられた軸受け部に係合させることでボックス装着部に対し基板ボックスが着脱可能に取り付けられた構造のものも知られている（例えば、特許文献１参照）。
【特許文献１】特許第３４３４４９８号公報
【発明の開示】
【発明が解決しようとする課題】
【０００３】
ところで、回路基板が収納された基板ボックスにおいて、その回路基板に対する不正改造の有無やその回路基板の裏側に不正部品が隠蔽されていないかを点検する必要がある場合がある。この場合、基板ボックスをボックス装着部にビス着する構造の基板ボックスでは、基板ボックスを全て透明な合成樹脂材で形成しても回路基板の裏側を視認するには、ビスを取り外してボックス装着部から基板ボックスを取り外さなければならす、回路基板の裏側の点検に多くの手間が必要となる。
一方、特許文献１の構造の基板ボックスは、ボックス装着部から基板ボックスを取り外すことなく、基板ボックスを、その上縁部の左右方向の軸を中心として上方に持ち上げながら回動することにより、回路基板の裏側を視認することができる。
しかしながら、係る構造の基板ボックスにおいては、回路基板の裏側を視認中、基板ボックスを継続して手で支えて所望の回動位置に保持しなければならず、厄介であった。
さらに、基板ボックスの裏側を下方から覗く構造であるから、特に、基板ボックスが遊技機の下部に位置して配置されていると、その低い位置の基板ボックスを下方から覗く無理な姿勢を強いられ、回路基板の裏側の視認作業がしづらいという問題点があった。
【０００４】
この発明の目的は、前記問題点に鑑み、基板ボックス内の回路基板の点検、特に裏側の点検を容易化するとともに、基板ボックスのベース部材、カバー部材及び回路基板を容易に着脱して基板ボックスのベース部材及びカバー部材のリサイクル使用を容易化することができる遊技機を提供することである。
【課題を解決するための手段】
【０００５】
前記目的を達成するために、請求項１の発明に係る遊技機は、
「遊技機の後側に設けられたボックス装着部に対し、回路基板を収納するベース部材及びカバー部材を備えた基板ボックスが装着された遊技機であって、
前記ベース部材及び前記カバー部材は透明な合成樹脂材によってそれぞれ形成され、
前記ベース部材と前記カバー部材との間の上下両縁部には、係脱可能に係合して前記ベース部材に対し前記カバー部材を閉じ状態に保持する閉止用係合部が合成樹脂材によってそれぞれの部材と一体成形され、
前記ベース部材と前記カバー部材のうち、一方の部材には前記回路基板を着脱可能に保持する基板係止部が一体成形され、
前記ベース部材の左右両縁部のうちの一方には、前記ボックス装着部の上下方向から挿脱可能に嵌挿されかつ水平方向に回動可能に連結されるヒンジ体が形成されるとともに、他方には、弾性的に係脱可能に係合して前記ボックス装着部に対し前記ベース部材を装着状態に保持する装着用係合部が形成されていることを特徴とする遊技機。」を要旨とするものである。
【０００６】
前記構成において、基板ボックスの透明なカバー部材及びベース部材を透して回路基板の表側及び裏側を視認することができる。
また、基板ボックスはヒンジ構造によって水平方向に回動可能に支持されるとともに、所望とする回動位置（開状態）で静止させることができる。このため、回路基板の裏側を視認中、基板ボックスを継続して手で支える必要がなく点検が容易となる。
さらに、基板ボックスを水平方向に回動して開閉する構造であるから、その裏側を後方あるいは側方から容易に視認することができる。ひいては、基板ボックスが遊技機後側のいずれの高さ位置に配置されている場合においても、無理な姿勢を強いられることなくその裏側を容易に視認することができる。
また、基板ボックスのベース部材及びカバー部材の各部材に一体成形されたヒンジ体、装着用係合部、閉止用係合部及び基板係止部によって、基板ボックスのベース部材、カバー部材及び回路基板の各部材が相互に組み付けられるため、これら各部材の相互間に取付用のねじが一切用いられることがない。
このため、基板ボックスのベース部材、カバー部材及び回路基板の各部材を容易に着脱することができる。この結果、基板ボックスのベース部材及びカバー部材を容易にリサイクル使用することができる。
【０００７】
請求項２の発明に係る遊技機は、
「請求項１に記載の遊技機であって、
ベース部材には、上下複数のヒンジ体が形成され、
ボックス装着部には、ベース部材の複数のヒンジ体の下面を支承する支承面を上面に有する複数のヒンジ体が設けられ、
前記ボックス装着部の複数のヒンジ体と、前記ベース部材の複数のヒンジ体には、上から下に向けて差し込まれ、かつ下から上に向けて抜き外されるヒンジ孔とヒンジピンとがそれぞれ形成されていることを特徴とする遊技機。」
を要旨とするものである。
【０００８】
前記構成において、ボックス装着部の複数のヒンジ体によってベース部材の複数のヒンジ体の下面が支承された状態でかつヒンジピンを回動中心として基板ボックスが安定よく水平方向に回動されるため、基板ボックス内の回路基板の裏側を視認して点検する作業がより一層容易となる。
また、基板ボックスの回動操作時において、ヒンジピンがヒンジ孔から抜け出る方向に力が作用した場合、基板ボックスの自重によってヒンジピンがヒンジ孔から抜け出ることを防止することができる。
例えば、基板ボックスが横方向のヒンジピンを中心として上下方向に回動可能に装着され、かつヒンジピンがヒンジ孔の横方向から挿脱可能に嵌挿される構成にすると、ヒンジピンがヒンジ孔から抜け出て外れやすくなるが、請求項２の発明によると、このような不具合を防止することができる。
さらに、基板ボックスを上方に持ち上げることで、ボックス装着部の複数のヒンジ体とベース部材の複数のヒンジ体にそれぞれ形成されたヒンジ孔に対しヒンジピンが抜き外される。このため、ボックス装着部に対し基板ボックスを容易にかつ手早く取り外すことができる。
【０００９】
請求項３の発明に係る遊技機は、
「請求項１に記載の遊技機であって、
ベース部材及びカバー部材は同一材質の合成樹脂材によってそれぞれ形成されていることを特徴とする遊技機。」
を要旨とするものである。
【００１０】
したがって、基板ボックスのベース部材及びカバー部材が同一材質の合成樹脂材によってそれぞれ形成されることで、ベース部材及びカバー部材のリサイクル使用がより一層容易となる。
【００１１】
請求項４の発明に係る遊技機は、
「請求項１〜３のいずれか一項に記載の遊技機であって、
ボックス装着部は、球通路が内部に構成された通路構成部材の後壁部によって構成され、
回路基板は、前記通路構成部材の球通路を流れる球による静電気の影響を避けるように、前記通路構成部材の後壁部から所定の距離を隔てた状態で基板ボックス内に収納されていることを特徴することを特徴とする遊技機。」
を要旨とするものである。
【００１２】
前記構成において、回路基板は、球通路の球による静電気の影響を避けるために、通路構成部材の外壁部から所定距離だけ離れた位置において基板ボックス内に収納されるため、通路構成部材の外壁部を避けることなくその後壁部をボックス装着面として有効に活用して基板ボックスを装着することができる。
言い換えると、通路構成体の後側面をボックス装着面として回路基板を装着すると、球通路の球による静電気の影響によって回路基板が作動不良をきたす場合があり、従来では通路構成体の後側面をボックス装着面として使用することが困難となるが、前記したように、通路構成部材の球通路を流れる球による静電気の影響を避けるように、通路構成部材の外壁部から所定距離だけ離れた位置において基板ボックス内に回路基板を収納することによって、通路構成部材の外壁部をボックス装着面として有効に活用することができる。
また、遊技機の後側において、基板ボックスの周囲に後方に突出する箇所がある場合、その突出部後端に合わせて基板ボックスの後壁部の位置を設定することによって、遊技機の後側の凹凸を少なくして平坦化することができる。
【００１３】
請求項５の発明に係る遊技機は、
「請求項１〜４のいずれか一項に記載の遊技機であって、
ベース部材の周壁部の先端部内周には、回路基板が嵌込まれる基板嵌込部が形成され、
前記ベース部材の周壁部の相対する両側壁部のうち、一方の側壁部の先端には、前記基板嵌込部との間に前記回路基板の一端部が斜めの状態で差し込み可能な間隔を隔てて突出する係止突部が一体に形成され、
前記他方の側壁部の先端部には、前記基板嵌込部に対する前記回路基板の嵌込みを許容する方向に弾性変形しかつ同回路基板の他端部を係止する弾性係止片が一体に形成され、
前記係止突部と弾性係止片によって基板係止部が構成されていることを特徴とする遊技機。」
を要旨とするものである。
【００１４】
前記構成において、ベース部材に対し回路基板を装着する場合には、まず、ベース部材の周壁部の相対する両側壁部のうち、一方の側壁部側において、そのベース部材の基板嵌込部と係止突部の間に、回路基板の一端部が斜めの状態で差し込まれる。
次に、回路基板の他端部をベース部材の基板嵌込部に向けて押し込むことで、弾性係止片が回路基板の嵌込みを許容する方向に弾性変形される。
これによって、ベース部材の基板嵌込部に回路基板が嵌込まれるとともに、弾性係止片が元の状態に復帰し、同弾性係止片によって回路基板の他端部が係止される。
このようにして、ベース部材に対し回路基板を容易に装着することができる。
また、ベース部材に対し回路基板を取り外す場合には、まず、弾性係止片を弾性変形させて回路基板の他端部との係合を外した後、ベース部材の基板嵌込部と係止突部の間から回路基板の一端部を斜めの状態で抜き外すことで、ベース部材に対し回路基板を容易に取り外すことができる。
【００１５】
請求項６の発明に係る遊技機は、
「請求項５に記載の遊技機であって、
カバー部材の周壁部は、ベース部材の周壁部の外側に嵌込まれる大きさに形成され、
前記カバー部材の周壁部によって前記ベース部材の弾性係止片が覆われるように構成されていることを特徴とする遊技機。」
を要旨とするものである。
【００１６】
前記構成において、カバー部材の周壁部によってベース部材の弾性係止片が覆われるため、回路基板の他端部に対し弾性係止片の係合が外れる方向へ弾性変形されることを阻止することができる。
この結果、ベース部材の基板嵌込部に回路基板を強固に保持することができ、ベース部材の基板嵌込部から回路基板が位置ずれして外れることを防止することができる。
【発明の効果】
【００１７】
この発明によれば、基板ボックスの透明なカバー部材及びベース部材を透して回路基板の表側及び裏側を視認することができる。
また、基板ボックスはヒンジ構造によって水平方向に回動可能に支持されるとともに、所望とする回動位置（開状態）で静止させることができる。このため、回路基板の裏側を視認中、基板ボックスを継続して手で支える必要がなく点検が容易となる。
さらに、基板ボックスを水平方向に回動して開閉する構造であるから、その裏側を後方あるいは側方から容易に視認することができる。ひいては、基板ボックスが遊技機後側のいずれの高さ位置に配置されている場合においても、無理な姿勢を強いられることなくその裏側を容易に視認することができる。
また、基板ボックスのベース部材及びカバー部材の各部材に一体成形されたヒンジ体、装着用係合部、閉止用係合部及び基板係止部によって、基板ボックスのベース部材、カバー部材及び回路基板の各部材が相互に組み付けられるため、これら各部材の相互間に取付用のねじが一切用いられることがない。
このため、基板ボックスのベース部材、カバー部材及び回路基板の各部材を容易に着脱することができる。この結果、基板ボックスのベース部材及びカバー部材を容易にリサイクル使用することができる。
【発明を実施するための最良の形態】
【００１８】
次に、この発明を実施するための最良の形態を実施例にしたがって説明する。
【実施例】
【００１９】
図１は遊技機の外枠の一側に本体枠が開かれその本体枠の一側にガラス扉が開かれた状態で示す斜視図である。図２は遊技機の本体枠に各種装置及び部材が装着された状態を斜め右上後方から示す斜視図である。図３は下皿用球誘導体に基板ボックスが装着された状態で示す斜視図である。図４は下皿用球誘導体に基板ボックスが装着された状態で示す正面図である。図５は図４のＶ−Ｖ線に基づく平断面図である。図６は図４のＶＩ−ＶＩ線に基づく側断面図である。図７は下皿用球誘導体と基板ボックスとを分離した状態で示す斜視図である。図８はインタフェース基板が装着された基板ボックスのベース部材とカバー部材とを分離した状態で示す斜視図である。図９は基板ボックスのベース部材、インタフェース基板及びカバー部材とを分離した状態で示す斜視図である。図１０は下皿用球誘導体に対し基板ボックスがヒンジピンを中心として回動された状態で示す斜視図である。図１１は本体枠の上隅部の第１、第２基板装着部に分電基板及び外部端子基板がそれぞれ装着された状態で示す斜視図である。図１２は本体枠の上隅部の第１、第２基板装着部と分電基板及び外部端子基板が分離された状態で示す斜視図である。図１３は分電基板と基板収納ボックスとを分離した状態で示す斜視図である。図１４は分電基板が収納された基板収納ボックスを示す正面図である。図１５は図１４のＸＶーＸＶに基づく基板収納ボックスの断面図である。なお、説明の便宜上、遊技機において遊技者側を前、反対側を後として説明する。
【００２０】
［遊技機の概要について］
図１と図２に示すように、遊技機としてのパチンコ機は、外枠１０、本体枠２０、ガラス扉３０、遊技盤５１等を備えて構成されている。
外枠１０は、上下左右の枠材によって縦長四角形の枠状に形成され、同外枠１０の前側下部には、本体枠２０の下面を受ける下受板１５を有している。
外枠１０の前面の片側には、本体枠開閉用ヒンジ機構１９によって本体枠２０が前方に開閉可能に装着されている。
【００２１】
［本体枠について］
図１と図２に示すように、本体枠２０は、前枠体２１、遊技盤装着枠５０及び機構装着体７０を合成樹脂材によって一体成形することで構成されている。
図１に示すように、本体枠２０の前枠体２１は、外枠１０前側の下受板１５を除く外郭形状に対応する大きさの矩形枠状に形成されている。
図１と図２に示すように、前枠体２１の前側において、遊技盤装着枠５０よりも下方に位置する前枠体２１の前下部領域の一側寄りにはスピーカボックス部２６が一体に形成され、そのスピーカボックス部２６の前側開口部には、同開口部を塞ぐようにしてスピーカ装着板２７が装着されている。そして、スピーカ装着板２７にはスピーカ２８が装着されている。
また、図１に示すように、前枠体２１前面の下部領域内において、その上半部分には発射レール２２が傾斜状に装着されている。
また、前枠体２１前面の下部領域内の下半部分には下部前面部材２３が装着されている。そして、下部前面部材２３の前面の略中央部には、下皿２４が設けられ、片側寄りには操作ハンドル２５が設けられている。
【００２２】
［ガラス扉について］
図１に示すように、前枠体２１の前面の片側には、その前枠体２１の上端から下部前面部材２３の上縁にわたる部分を覆うようにしてガラス扉３０が扉開閉用ヒンジ機構２９によって前方に開閉可能に装着されている。ガラス扉３０のヒンジ機構２９と反対側に自由端側の後側には、施錠装置４０の扉施錠フック４２に係脱可能に係合してガラス扉３０を閉じ状態に施錠する閉止具３３が設けられている。
また、ガラス扉３０の略中央部には、遊技盤５１の遊技領域５５を前方から透視可能な略円形の開口窓３０ａが形成されている。また、ガラス扉３０の後側には開口窓３０ａよりも大きき矩形枠状をなす窓枠３１が設けられ、その窓枠３１にはガラス板、透明樹脂板等の透明板３２が装着されている。
また、ガラス扉３０の前面の略全体は、ランプ等が内設された前面装飾部材によって装飾され、同ガラス扉３０の前面の下部には上皿（図示しない）が形成されている。
【００２３】
［施錠装置について］
図１に示すように、前枠体２１のヒンジ機構と反対側の自由端側の後側には、外枠１０に対し本体枠２０を施錠する機能と、本体枠２０に対しガラス扉３０を施錠する機能とを兼ね備えた施錠装置４０が装着されている。
すなわち、この実施例において、施錠装置４０は、外枠１０に設けられた閉止具１７に係脱可能に係合して本体枠２０を閉じ状態に施錠する上下複数の本体枠施錠フック４１と、ガラス扉３０の自由端側の後側に設けられた閉止具３３に係脱可能に係合してガラス扉３０を閉じ状態に施錠する上下複数の扉施錠フック４２と、遊技機の前方から鍵が挿入されて解錠操作可能に、前枠体２１及び下部前面部材２３を貫通して露出されたシリンダー錠４３と、を備えている。
そして、シリンダー錠４３の鍵穴に鍵が挿入されて一方向に回動操作されることで本体枠施錠フック４１と外枠１０の閉止具１７との係合が外れて本体枠２０が解錠され、これとは逆方向に回動操作されることで、扉施錠フック４２とガラス扉３０の閉止具３３との係合が外れてガラス扉３０が解錠されるようになっている。
【００２４】
［本体枠の遊技盤装着枠と遊技盤について］
図１と図２に示すように、本体枠２０の遊技盤装着枠５０は、前枠体２１の後側に設けられかつ遊技盤５１が前方から着脱交換可能に装着されるようになっている。
遊技盤５１は、遊技盤装着枠５０の前方から嵌込まれる大きさの略四角板状に形成されている。遊技盤５１の盤面（前面）には、外レールと内レールとを備えた案内レール５２が設けられ、その案内レール５２の内側に遊技領域５５が区画形成されている。
遊技盤５１には、その遊技領域５５内において、遊技に関する役物装置、例えば、センタ役物と呼ばれる役物装置５６が装着され、その役物装置５６の略中央部に形成された開口部に臨んで図柄表示装置（例えば、液晶表示器、ＥＬ表示器，プラズマ表示器，ＣＲＴ等）５７が装着されている。
また、遊技盤５１の遊技領域５５内には、入賞装置、風車器、誘導釘、ランプ装飾部材等の各種の装備品が配設されている。なお、遊技盤５１の後側には、集合樋、主制御基板ボックス、副制御基板ボックス（図示しない）が配置されている。
【００２５】
［本体枠の機構装着体、球タンク、タンクレール及び球払出装置について］
図２に示すように、本体枠２０の機構装着体７０の上部には、球タンク７１が配置され、その球タンク７１の下方に連通してタンクレール７２が傾斜状に配置されている。
また、機構装着体７０の片側には、タンクレール７２の下傾端に連通する球通路を備えかつ賞球及び貸球を上皿に払い出す球払出装置７５が配置されている。
また、本体枠２０の前枠体２１の後側において、遊技盤装着枠５０よりも下方に位置する前枠体２１の後下部領域の片側（図２に向かって左側）には、発射レール４２の下傾端部の発射位置に送られた球を発射するための発射ハンマー（図示しない）を作動する発射モータ８２を備えた球発射装置８０が配置されている。
また、前枠体２１の後下部領域の略中央部には、電源基板を有する電源基板ボックス（図示しない）が装着され、その電源基板ボックスの後側に重ね合わされた状態で払出制御基板９６を有する払出制御基板ボックス９５が装着されている。
【００２６】
［本体枠の後側下部の通路構成部材としての下皿用球誘導体について］
図２と図３に示すように、本体枠２０の前枠体２１の後下部領域の他側寄り部分（ヒンジ寄り部分）には、そのスピーカボックス部２６の後段差部の凹み部分において通路構成部材としての下皿用球誘導体１０１が装着されている。
下皿用球誘導体１０１は、球払出装置７５の賞球及び貸球用球通路から上皿連絡路を経て上皿（図示しない）に払い出された球が満杯になったときに、上皿連絡路の球を下皿２４に導くためのものである。
また、下皿用球誘導体１０１は、透明（又は不透明）な合成樹脂材によって形成され、その後壁内面に上皿連絡路と下皿とを連通する球通路（図示しない）が形成されている。
【００２７】
［回路基板としてのインタフェース基板について］
図３と図４に示すように、下皿用球誘導体１０１には、その後壁外面をボックス装着面１０２として、インタフェース基板（この発明の回路基板に相当する）１２２を収納している基板ボックス１２０が装着されている。
インタフェース基板１２２は、球貸に関する信号を、遊技機に隣接して設置される球貸機（図示しない）と払出制御基板９６との間で送受信可能に電気的に接続するものであり、図８と図９に示すように、インタフェース基板１２２の表面（実装面）には各種の回路構成部品、基板コネクタ１２３、１２４、１２５、フューズ１２６等が配設されている。
また、図８に向かってインタフェース基板１２２の下部中央部に配設された基板コネクタ１２３には、遊技機に隣接して設置される球貸機（図示しない）に対する接続線の端末コネクタが差し込まれ、インタフェース基板１２２の左側寄り配設された基板コネクタ１２４には、払出制御基板９６に対する接続線の端末コネクタが差し込まれ、インタフェース基板１２２の右側寄り配設された基板コネクタ１２５には、後述する分電基板１６１に対する接続線の端末コネクタが差し込まれるようになっている。
【００２８】
［回路基板としてのインタフェース基板の基板ボックスについて］
図７〜図９に示すように、基板ボックス１２０は、ベース部材１３０とカバー部材１５０とを備え、これらベース部材１３０及びカバー部材１５０は透明な合成樹脂材によってそれぞれ形成されている。
また、この実施例において、ベース部材１３０及びカバー部材１５０は同一材質の透明な合成樹脂材（例えば、ポリカーボネート樹脂材）によってそれぞれ形成されている。
そして、基板ボックス１２０は、そのベース部材１３０において、下皿用球誘導体１０１の後壁外面をボックス装着面１０２として回動可能（開閉可能）にかつ着脱可能に装着されている。
【００２９】
［基板ボックスのヒンジ機構について］
図７に示すように、ボックス装着部としての下皿用球誘導体１０１と、基板ボックス１２０のベース部材１３０との間の左右両縁部のうちの一方（図７に向かって右側）には、基板ボックス１２０を回動可能に支持するヒンジ機構を構成する複数（図７においては上下各一対）のヒンジ体１１１、１３７がそれぞれの部材と一体成形されている。
この実施例において、下皿用球誘導体１０１のボックス装着面１０２の一側に、ベース部材１３０の各ヒンジ体１３７の下面を支承する支承面を上面に有するヒンジ体１１１がが一体に形成され、これら一対のヒンジ体１１１には、ヒンジ孔１１２が上下方向に同一中心線上に貫設されている。
一方、図７〜図９に示すように、ベース部材１３０は、底板部１３１と周壁部１３２とを一体に備えた箱形状に形成され、その周壁部１３２の一側壁１３２ａに、上下一対のヒンジ体１３７が一体に形成されている。そして、これら一対のヒンジ体１３７の下面には、ヒンジ孔１１２の上方から挿脱可能に嵌挿されるヒンジピン１３８が同一中心線上に突設されている。
【００３０】
［基板ボックスの装着用係合部について］
図５と図８に示すように、ボックス装着部としての下皿用球誘導体１０１と基板ボックス１２０のベース部材１３０との間の左右両縁部のうちの他方（図５に向かって左側の自由端側）には、弾性的に係脱可能に係合して下皿用球誘導体１０１のボックス装着面１０２に対し基板ボックス１２０を装着状態に保持するための装着用係合部を構成する係合体１１５と、弾性係止体１３９が合成樹脂材によってそれぞれの部材と一体成形されている。
この実施例において、図５と図７に示すように、下皿用球誘導体１０１のボックス装着面１０２の所定位置に、後方に向けて突出する係合体１１５が一体に形成されている。
また、係合体１１５は、次に詳述する弾性係止体１３９に対向してボックス装着面１０２から後方に向けて一体に突設された立ち壁部１１５ａと、その立ち壁部１１５ａの両側部から弾性係止体１３９の両側部を覆うようにして一体に形成された側壁部１１５ｂと、を備えている。
そして、立ち壁部１１５ａの後端の上下部（両側壁部１１５ｂの後端の境界部近傍）に、弾性係止体１３９の係止部１４０に係脱可能に係合する爪状の係合部１１６が一体に形成されている。
また、この実施例において、係合体１１５の立ち壁部１１５ａの外面には補強用のリブが１１５ｃが一体に形成され、これによって係合体１１５の剛性が高められている。
【００３１】
一方、図５と図８に示すように、基板ボックス１２０には、同基板ボックス１２０の回動方向と交差する方向に弾性変形する弾性係止体１３９が一体に形成されている。
この実施例において、基板ボックス１２０のベース部材１３０の周壁部１３２のうちの自由端側に位置する他側壁１３２ｂ外面の根元部近傍から後方に向けて傾斜状をなして弾性係止体１３９が片持ち梁状に一体に突設されている。
弾性係止体１３９には、その自由端の幅方向の両肩部に、係合体１１５の両係合部１１６に係脱可能に係合する係止部（係止面）１１６が形成されている。
そして、基板ボックス１２０に対する後方への外力が弾性係止体１３９の係止部１４０と、係合体１１５の係合部１１６との係合部分に作用したときには、弾性係止体１３９の係止部１４０が係合体１１５の係合部１１６に食い込む方向に弾性係止体１３９が変位しようとし、これによって、係合体１１５の係合部１１６から外れる方向への弾性係止体１３９の弾性変形が抑制される構成にしてある。
また、弾性係止体１３９の自由端の幅方向の中央部には操作部１４１が外方に向けて張り出された状態で一体に突出されている。
【００３２】
［回路基板としてのインタフェース基板の装着構造について］
基板ボックス１２０のベース部材１３０とカバー部材１５０のうち、一方の部材にはインタフェース基板１２２を着脱可能に保持する基板係止部を構成する係止突部１３４及び弾性係止片１３５が合成樹脂材によって一方の部材に一体成形されている。そして、基板ボックス１２０内には、下皿用球誘導体１０１の球通路の球による静電気の影響を避けるために、下皿用球誘導体１０１のボックス装着面１０２から所定距離だけ離れた位置においてインタフェース基板１２２が収納されるようになっている。
【００３３】
この実施例において、図５と図９に示すように、ベース部材１３０の周壁部１３２の先端部内周には、インタフェース基板１２２が嵌込まれる基板嵌込部１３３がインタフェース基板１２２の厚さ寸法と略同じ深さ寸法をもって形成されている。
ベース部材１３０の周壁部１３２の四辺のうち一方（左右）で相対する両側壁部１３２ａ、１３２ｂの先端部には、基板嵌込部１３３に嵌込まれたインタフェース基板１２２の実装面の周縁部に係合する基板係止部を構成する係止突部１３４及び弾性係止片１３５が一体に形成されている。
基板係止部を構成する係止突部１３４と弾性係止片１３５のうち、図５に向かって左側に位置する係止突部１３４は、その係止突部１３４と基板嵌込部１３３の間にインタフェース基板１２２の一端部が斜めの状態で容易に差込できるように略円弧状をなして突出され突設されている。
【００３４】
また、図５に向かって右側に位置する弾性係止片１３５は、基板嵌込部１３３に対するインタフェース基板１２２の嵌込みを許容する方向に弾性変形しかつそのインタフェース基板１２２の他端部を係止するものであり、図９に示すように、ベース部材１３０の周壁部１３２の側壁部１３２ａに切り込み状に形成されたスリット溝によってベース部材１３０の内外方向に弾性変形可能に形成されている。
また、図５の（Ｂ）に示すように、弾性係止片１３５には、インタフェース基板１２２の他端部を滑走させながら基板嵌込部１３３に嵌込み案内する傾斜面１３５ｂとインタフェース基板１２２の表面（実装面）の周縁部に係合する係止面１３５ｃとを備えて略三角形状をなす係止爪１３５ａが形成されている。
さらに、弾性係止片１３５の先端には、弾性係止片１３５を弾性変形させてインタフェース基板１２２に対する係止爪１３５ａの係合を外すための操作部１３６が一体に延出されている。
また、カバー部材１５０の周壁部１５２は、ベース部材１３０の周壁部１３２の外側に嵌込まれる大きさに形成され、カバー部材１５０の周壁部１５２によってベース部材１３０の弾性係止片１３５及び操作部１３６が覆われるように構成されている。
【００３５】
図５に示すように、ベース部材１３０の基板嵌込部１３３にインタフェース基板１２２が嵌込まれ、かつ基板係止部を構成する係止突部１３４と弾性係止片１３５によってインタフェース基板１２２が係止されるとともに、下皿用球誘導体１０１のボックス装着面１０２にベース部材１３０が装着された状態において、インタフェース基板１２２は、下皿用球誘導体１０１のボックス装着面１０２からベース部材１３０の周壁部１３２の略高さ寸法に相当する所定の距離Ｈを隔てている。
これによって、インタフェース基板１２２は、下皿用球誘導体１０１の球通路の球による静電気の影響から避けられるようになっている。言い換えると、下皿用球誘導体１０１の球通路の球による静電気の影響をインタフェース基板１２２が受けにくい所定の距離Ｈを隔てるように、ベース部材１３０の周壁部１３２の略高さ寸法が設定されている。
【００３６】
ベース部材１３０とカバー部材１５０との間の上下両縁部には、係脱可能に係合してベース部材１３０に対しカバー部材１５０を閉じ状態に保持する第１、第２の各閉止用係合部１４５、１５３及び１４７、１５６が合成樹脂材によってそれぞれの部材と一体成形されている。
この実施例において、図６と図８に示すように、ベース部材１３０の周壁部１３２の下側壁１３２ｃの左右部には、舌片状の第１閉止用係合部１４５が下方に向けて突出されている。
また、図８と図９に示すように、ベース部材１３０の周壁部１３２の上側壁１３２ｄの略中央部には、外側に向けて弾性変形可能な左右一対の脚部１４７ａと、これら脚部１４７ａの先端部に跨る操作部１４９とを一体に備えて略Ｕ字状をなす第２閉止用係合部１４７が弾性変形可能に形成されている。そして、ベース部材１３０の周壁部１３２の上側壁１３２ａと第２閉止用係合部１４７の操作部１４９との間には、係合孔１４８が構成されている。
【００３７】
これに対し、図８に示すように、カバー部材１５０の周壁部１５２の下側壁１５２ｃにはベース部材１３０の第１閉止用係合部１４５が差し込まれて係脱可能に係合する孔状の第１閉止用係合部１５３が形成されている。
また、図９に示すように、カバー部材１５０の周壁部１５２の上側壁１５２ａには、ベース部材１３０の係合孔１４８に係脱可能に係合する第２閉止用係合部１５６が上方に向けて突出されている。
【００３８】
また、この実施例において、図２に示すように、下皿用球誘導体１０１のボックス装着面１０２に装着されたインタフェース基板１２２の基板ボックス１２０は、払出制御基板９６の払出制御基板ボックス９５の図２に向かって右側に接近（隣接）して配置されている。これによって、インタフェース基板１２２と払出制御基板９６とを短い接続線を用いて電気的に接続することができ、その接続線が他の部材、部品等に干渉する不具合を防止することができる。
また、図８に示すように、インタフェース基板１２２の基板ボックス１２０の周壁部外面、この実施例では、カバー部材１５０の周壁部１５２の側壁１５２ｂの外側面には、インタフェース基板１２２と払出制御基板９６とを接続する多数の接続線を束ねた状態で配線保持するための係止フック１５９が一体に形成されている。
また、カバー部材１５０の蓋板部１５１には、インタフェース基板１２２上の配設された各種の基板コネクタ１２３、１２４、１２５を露出させる貫通孔が形成されている。
【００３９】
［本体枠の上隅部の基板装着部について］
図２、図１１及び図１２に示すように、本体枠２０の機構装着体７０の上隅部（図２において球タンク７１の右側に隣接する部分）には、段差状（階段状）をなす基板装着部が形成され、その上段縦壁部には、分電基板１６１に対応する第１基板装着部１６０が形成され、下段縦壁部には、外部端子基板１８５に対応する第２基板装着部１８０が形成されている。
【００４０】
［分電基板と基板ボックスについて］
図１１と図１２に示すように、第１基板装着部１６０には、外部電源を受けてその電源電力を電源基板ボックスの電源基板や遊技機に隣接して設置される図示しない球貸機にインタフェース基板１２２を介して分配供給する分電基板１６１が基板ボックス１６２に収納された状態で装着されている。
この実施例において、基板ボックス１６２は、透明または不透明な合成樹脂材よりなり、図１３に示すように、蓋板部１６３と段差状の周壁部１６４とを有して一側開口の段差箱形状に形成されている。
また、図１３と図１４に示すように、基板ボックス１６２の周壁部１６４は分電基板１６１が嵌込まれる大きさに形成されている。
基板ボックス１６２の周壁部１６４の四辺の壁部のうち、上下で対向する両側壁部１６４ａ、１６４ｂの内面には、分電基板１６１を係止する係止爪１６６が形成されている。そして、分電基板１６１は、基板ボックス１６２の周壁部１６４内に嵌込まれかつ係止爪１６６に係止されることで基板ボックス１６２内に収納されて保持されるようになっている。
【００４１】
また、図１４と図１５に示すように、基板ボックス１６２の周壁部１６４の四辺の壁部のうち、左右で対向する両側壁部１６４ｃ、１６４ｄの上下方向略中央部には、第１基板装着部１６０に形成された係合凹部に弾性的に係合する一対の弾性係止片１６７が形成されている。そして、分電基板１６１は、基板ボックス１６２に収納された状態で、同基板ボックス１６２の左右一対の弾性係止片１６７が第１基板装着部１６０の係合凹部に弾性的に係合されることによって、第１基板装着部１６０に装着されるようになっている。
【００４２】
また、図１３〜図１５に示すように、基板ボックス１６２の蓋板部１６３には、分電基板１６１の実装面に配設された各種コネクタ、例えば、外部電源用接続端子１６１ａ、分電用接続端子１６１ｂ等をそれぞれ露出するための貫通孔１６３ａ、１６３ｂが形成されている。
また、基板ボックス１６２の蓋板部１６３には、分電基板１６１の実装面に配設されたヒューズ１６１ｃ等の点検・交換等のための点検口が開口されている。そして、点検口には開閉蓋１６８がその一側の軸部１６８ａを支点として開閉可能に装着されている。
また、開閉蓋１６８の自由端側には点検口の他側縁に係脱可能に係合して開閉蓋１６８を閉じ状態に保持する係止爪１６８ｂを有する開閉操作用の操作部１６９が一体に形成されている。
【００４３】
［基板ボックスの接続線保持構造について］
図１１に示すように、基板ボックス１６２の周壁部１６４の外側部には、複数種類の接続線、例えば、電源線、信号線、アース線等の第１、第２の接続線（単線又は複線の）１７６、１８６をそれぞれ保持するための第１、第２の接続線保持部１７０、１８０が合成樹脂材によって基板ボックス１６２と一体に形成されている。
【００４４】
この実施例において、第１の接続線保持部１７０は、分電基板１６１を介してアースするために同分電基板１６１に接続された第１の接続線（アース線）１７６を挿通保持するためのもので、図１１〜図１５に示すように、基板ボックス１６２の周壁部１６４のうち、遊技機の外縁側に位置する基板ボックス１６２の右側の側壁部１６４ｃの外面の上下部にそれぞれ形成されている。
また、上下複数の第１の接続線保持部１７０は、基板ボックス１６２の右側の側壁部１６４ｃ外面から横方向に突出されかつ上下方向（第１の接続線１７６の配線方向）に所定間隔を隔てる一対の支持片１７２と、これら一対の支持片１７２の先端に跨って一体に形成された連結部１７３と、その連結部１７３の中央部から後方に向けて一体に延出されることで、一対の支持片１７２の間に位置して設けられ、かつ先端部に係止爪１７５ａを有する弾性抜止片１７５と、を一体に備えている。そして、これら一対の支持片１７２、連結部１７３及び弾性抜止片１７５の協働によって第１の接続線１７６を挿通状態で保持する接続線挿通部１７４が形成され、その接続線挿通部１７４には第１の接続線（アース線）１７６が挿通されて保持されるようになっている。
また、弾性抜止片１７５は、一対の支持片１７２に跨って第１の接続線１７６の挿通を許容する方向に弾性変形可能に形成されている。
【００４５】
また、図１１〜図１５に示すように、基板ボックス１６２の周壁部１６４のうち、遊技機の中心側に位置する基板ボックス１６２の左側の側壁部１６４ｄの外面の上下部には、分電基板１６１に接続されない他の接続線としての第２の接続線１８６を保持するための第２の接続線保持部（他の接続線用中継保持部）１８０が一体に形成されている。この実施例において、第２の接続線保持部１８０は、ガラス扉３０の開放を検出する検出器（図２に向かって左上部参照）７８と次に述べる外部端子基板１９５の接続端子（入力端子）１９６とを接続する第２の接続線１８６を挿通して保持するようになっている。
すなわち、図１３〜図１５に示すように、他の接続線用中継保持部としての上下複数の第２の接続線保持部１８０は、前記した第１の接続線保持部１７０と同様に構成されており、一対の支持片１８２、連結部１８２、及び先端部に係止爪１８５ａを有する弾性抜止片１８５と、を一体に備え、これら一対の支持片１８２、連結部１８２及び係止爪１８５ａ付きの弾性抜止片１８５によって第２の接続線１８６を挿通状態で保持する接続線挿通部１８４が形成されている。
また、ガラス扉３０の開放を検出する検出器７８は本体枠２０の上部（図２に向かって左上部）に配置され、本体枠２０の上部後側部には、第１の接続線１８６を配線保持する複数の配線用フック（配線用保持部）７９が合成樹脂材によって本体枠２０の成形と同時に一体に形成されている（図２参照）。
また、本体枠２０の配線用フック（配線用保持部）７９は、基板ボックス１６２の他の接続線用中継保持部としての第２の接続線保持部１８０の弾性抜止片１８５よりも強固に形成されている。
これによって、第２の接続線１８６に異物が引っかかり第２の接続線１８６に所定値以上の引張力が作用し、かつその引張力が本体枠２０の配線用フック７９及び基板ボックス１６２の第２の接続線保持部１８０の弾性抜止片１８５に作用した場合には、基板ボックス１６２の第２の接続線保持部１８０の弾性抜止片１８５が折損されることで、第２の接続線１８６が緩み、これによって本体枠２０の配線用フック７９の折損が回避されるように構成されている。
【００４６】
前記したように合成樹脂製の基板ボックス１６２に対し、電源線、信号線、アース線等の複数種類の接続線（単線又は複線）１７６、１８６を保持する接続線保持部１７０、１８０が一体に形成されている。
このため、仮に、接続線保持部１７０、１８０が折損したり、あるいは変形した場合には、その基板ボックス１６２のみを交換することで対処することができる。
すなわち、合成樹脂製の大型の基板装着体（例えば、本体枠２０、機構装着体７０）の所定位置に接続線保持部を一体に形成すると、その接続線保持部が折損したり、変形したときには、大型の基板装着体全体を交換することは非常にコストが高くなり、コスト面において大型の基板装着体を交換することは困難となる。このため、接続線保持部が折損したり、変形した場合には接続線が保持されないままの状態で放置されるのが一般的である。
これに対し、基板ボックス１６２のみを交換することによって、接続線保持部１７０、１８０の折損や変形に容易に対処することができ、コスト面において効果が大きい。
【００４７】
また、この実施例では、合成樹脂製の基板ボックス１６２の周壁部１６４に、複数（第１、第２）の接続線保持部１７０、１８０をそれぞれ一体に形成し、基板ボックス１６２の周壁部１６４の相対する側壁部１６４ｃ、１６４ｄに沿って、電源線、信号線、アース線等の複数種類の接続線（単線又は複線）１７６、１８６をそれぞれ左右（上下でもよい）に区分けして保持することができる。
なお、この実施例においては、分電基板１６１を収納するための基板ボックス１６２に接続線保持部１７０、１８０が一体に形成される場合を例示したが、その他、各種制御基板、電源基板等の回路基板を収納する基板ボックスに接続線保持部を一体に形成することもできる。
【００４８】
［外部端子基板について］
図１２と図１３に示すように、下段の第２基板装着部１９０には、外部端子基板１９５が嵌込まれる基板嵌込部１９１が形成され、その基板嵌込部１９１の左右両側部には、外部端子基板１９５の実装面の両端部に係合する係止爪１９２、１９３が一体に形成されている。
そして、外部端子基板１９５は、基板嵌込部１９１に嵌込まれ、かつ係止爪１９２、１９３によって係止されることで第２基板装着部１９０に装着されるようになっている。また、両係止爪１９２、１９３のうち、一方の係止爪１９３には外部端子基板１９５との係合を外すための操作部１９４を有している。
なお、外部端子基板１９５の実装面上には、前記した第１の接続線１７６の端末部が接続される接続端子（入力端子）１９６が配設される他、周知のように、大当たり信号、扉開放信号、賞球信号等の信号をホールコンピュータに伝達するための、各種の信号に対応する複数の外部出力端子１９７が配設されている。
【００４９】
［この実施例に係る遊技機の作用効果について］
上述したように構成されるこの実施例に係る遊技機において、図７に示すように、ボックス装着部としての（又は通路構成部材としての）下皿用球誘導体１０１の後壁外面をボックス装着面１０２として、回路基板としてのインタフェース基板１２２を収納している基板ボックス１２０を装着する場合、まず、図９に示すように、ベース部材１３０とカバー体１５０とが分離された状態のもとで、ベース部材１３０の周壁部１３２の基板嵌込部１３３と一方の基板係止部としての係止突部１３４との間に、インタフェース基板１２２の一端部を斜めの状態で差込む。
その後、インタフェース基板１２２の他端部を基板嵌込部１３３に向けて回動させながら他方の基板係止部としての弾性係止片１３５を弾性変形させ、かつその係止爪１３５ａの傾斜面１３５ｂに沿って滑走させながら押し込むことで、インタフェース基板１２２を基板嵌込部１３３に嵌込む（図８参照）。
また、弾性係止片１３５の先端の操作部１３６によって基板係止部１３５を外方に弾性変形させることによっても、インタフェース基板１２２を基板嵌込部１３３に嵌込むこともできる。
このようにして、インタフェース基板１２２をベース部材１３０の基板嵌込部１３３に容易に嵌込んで装着することがきでるとともに、係止突部１３４と弾性係止片１３５によってインタフェース基板１２２を装着状態に係合保持することができる。
【００５０】
次に、図６に示すように、ベース部材１３０に対しカバー部材１５０を閉じる。この際、まず、カバー部材１５０の下縁部の孔状の第１閉止用係合部１５３をベース部材１３０の下縁部の舌片状の第１閉止用係合部１４５に差し込んで係合させる。
その後、カバー部材１５０上縁の第２閉止用係合部１５６を、ベース部材１３０の上側壁と第２閉止用係合部１４７によって構成された係合孔１４８に差し込んで係合させることによってベース部材１３０に対しカバー部材１５０が閉じられ、これによってインタフェース基板１２２を収納した基板ボックス１２０が構成される（図６及び図７参照）。  
前記したようにして、ベース部材１３０に対しカバー部材１５０を容易に閉じて装着することで基板ボックス１２０を構成することができる。
【００５１】
次に、下皿用球誘導体１０１のボックス装着面１０２に対し基板ボックス１２０を、そのベース部材１３０において装着する。この際、まず、図７に示すように、ベース部材１３０の左右一側部の一対のヒンジ体１３７のヒンジピン１３８を、ボックス装着面１０２の一対のヒンジ体１１１のヒンジ孔１１２の上方から嵌挿する。
その後、基板ボックス１２０をボックス装着面１０２に向けてヒンジ機構のヒンジピン１３８を中心として回動操作する。
基板ボックス１２０の自由端側がボックス装着面１０２に近ずくと、まず、弾性係止体１３９が、その傾斜面において、係合体１１５の係合部１１６の先端部に接して滑走しながら基板ボックス１２０の回動方向と交差する方向に弾性変形する。
そして、ボックス装着面１０２に沿う元の装着位置まで基板ボックス１２０が回動操作されることで、弾性係止体１３９が、係合体１１５の係合部１１６の先端部を通過する。すると、弾性係止体１３９が弾性復帰し、その係止部１４０が係合体１１５の係合部１１６に弾性的に係合する。
これによって、基板ボックス１２０がボックス装着面１０２に沿う元の装着位置に係止保持されるため、下皿用球誘導体１０１のボックス装着面１０２に対し基板ボックス１２０を容易に装着することができる。
【００５２】
前記したようにして、下皿用球誘導体１０１のボックス装着面１０２に対し基板ボックス１２０が装着された状態において、インタフェース基板１２２の表側（実装面側）を視認する場合、基板ボックス１２０の透明なカバー部材１５０を透してインタフェース基板１２２の表側を容易に視認することができる。
また、インタフェース基板１２２の裏側（実装面側と反対側）を視認する場合、まず、弾性係止体１３９の係止部１４０が係合体１１５の係合部１１６から外れる方向に操作部１４１を押し込み操作するという極めて簡単な操作によって、弾性係止体１３９が基板ボックス１２０の回動方向と交差する方向に容易に弾性変形され、これによって、弾性係止体１３９の係止部１４０と係合体１１５の係合部１１６との係合が容易に解除される。
その後、図１０に示すように、基板ボックス１２０を、ヒンジピン１３８を中心として所望とする角度位置まで回動することで、所望とする回動位置に基板ボックス１２０が保持される。この状態で透明なベース部材１３０を透してインタフェース基板１２２の裏側を視認することができる。
このようにして、基板ボックス１２０の透明なカバー部材１５０及びベース部材１３０を透してインタフェース基板１２２の表側及び裏側を視認することができる。
また、基板ボックス１２０はヒンジピン１３８を中心として水平方向に回動可能に支持されるとともに、所望とする回動位置（開状態）で静止させることができる。このため、インタフェース基板１２２の裏側を視認中、基板ボックス１２０を継続して手で支える必要がなく点検が容易となる。
さらに、基板ボックス１２０を水平方向に回動して開閉する構造であるから、その裏側を後方あるいは側方から容易に視認することができる。ひいては、基板ボックス１２０が遊技機後側のいずれの高さ位置に配置されている場合においても、無理な姿勢を強いられることなくその裏側を容易に視認することができる。
【００５３】
また、基板ボックス１２０のベース部材１３０及びカバー部材１３０の各部材に一体成形されたヒンジ体１３７、閉止用係合部１４５、１４７、１５３、１５６及び基板係止部を構成する係止突部１３４、弾性係止片１３５によって、基板ボックス１２０のベース部材１３０、カバー部材１５０及びインタフェース基板１２２の各部材が相互に組み付けられるため、これら各部材の相互間に取付用のねじが一切用いられることがない。
このため、基板ボックス１２０のベース部材１３０、カバー部材１５０及びインタフェース基板１２２の各部材を容易に着脱することができる。この結果、基板ボックス１２０のベース部材１３０及びカバー部材１５０を容易にリサイクル使用することができる。
また、この実施例において、基板ボックス１２０のベース部材１３０及びカバー部材１５０が同一材質の合成樹脂材によってそれぞれ形成されることで、ベース部材１３０及びカバー部材１５０のリサイクル使用がより一層容易となる。
【００５４】
また、この実施例において、図５に示すように、回路基板としてのインタフェース基板１２２は、通路構成部材としての下皿用球誘導体１０１の球通路の球による静電気の影響から避けられる距離Ｈを隔てて基板ボックス１２０内に収納されている。このため、下皿用球誘導体１０１の後壁面を避けることなくその後壁面をボックス装着面１０２として有効に活用して基板ボックス１２０を装着することができる。
また、この実施例において、基板ボックス１２０のカバー部材１５０の周壁部１５２は、ベース部材１３０の周壁部１３２の外側に嵌込まれる大きさに形成され、カバー部材１５０の周壁部１５２によってベース部材１５０の弾性係止片１３５が覆われる。このため、回路基板としてのインタフェース基板１２２の他端部に対し弾性係止片１３５の係合が外れる方向へ弾性変形されることを阻止することができる。
この結果、ベース部材１５０の基板嵌込部１３３にインタフェース基板１２２を強固に保持することができ、ベース部材１５０の基板嵌込部１３３からインタフェース基板１２２が位置ずれして外れることを防止することができる。
【００５５】
［この発明の他の実施例について］
なお、この発明は前記実施例に限定するものではない。
例えば、前記実施例においては、前枠体２１、遊技盤装着枠５０及び機構装着体７０が合成樹脂材によって一体成形されることで本体枠２０が構成される場合を例示したが、前枠体２１、遊技盤装着枠５０及び機構装着体７０がそれぞれ別個の形成され、これら各部材が相互に組み付けられて構造であってもこの発明を実施することができる。
また、前記実施例においては、インタフェース基板１２２を収納する基板ボックス１２０である場合を例示したが、その他、各種の制御基板、電源基板等の回路基板を収納する基板ボックスであってもこの発明を実施することができる。
【００５６】
前記実施例は次に述べる他の発明を含んでいる。
【００５７】
［他の発明１の手段及び作用効果について］
他の発明１の手段１は、
「遊技機の所定位置に設けられかつ内部に球通路を有する通路構成体の壁部外側に回路基板が配置された遊技機であって、
前記通路構成体の壁部外側には、前記回路基板に対応する基板ボックスが装着され、
前記基板ボックス内には、前記球通路の球による静電気の影響を避けるために、前記通路構成体の壁部外側から所定距離だけ離れた位置において前記回路基板が収納されていることを特徴とする遊技機。」
を要旨とする。
ここで、通路構成体とは、下皿用球誘導体１０１の他、球通路を有する部材であればどのような通路構成体であってもよい。
【００５８】
前記構成において、回路基板は、球通路の球による静電気の影響を避けるために、通路構成部材の外壁部から所定距離だけ離れた位置において基板ボックス内に収納されるため、通路構成部材の外壁部を避けることなくその後壁面をボックス装着面として有効に活用して基板ボックスを装着することができる。
言い換えると、通路構成体の後側面をボックス装着面として回路基板を装着すると、球通路の球による静電気の影響によって回路基板が作動不良をきたす場合があり、従来では通路構成体の後側面をボックス装着面として使用することが困難となるが、前記したように通路構成部材の外壁部から所定距離だけ離れた位置において基板ボックス内に回路基板を収納することによって、通路構成部材の外壁部をボックス装着面として有効に活用することができる。
また、遊技機の後側において、基板ボックスの周囲に後方に突出する箇所がある場合、その突出部後端に合わせて基板ボックスの後壁部の位置を設定することによって、遊技機の後側の凹凸を少なくして平坦化することができる。
【００５９】
［他の発明２の手段及び作用効果について］
他の発明２の請求項１に係る遊技機は、
「遊技機の本体枠の後側に対し、同遊技機に搭載される各種の電気機器や制御回路基板、端子基板、中継基板等の回路基板を電気的に接続するための複数の接続線が配線された遊技機であって、
前記本体枠の後側の所定位置には、端子基板、中継基板等の回路基板を収納する合成樹脂製の基板ボックスが着脱可能に装着され、
前記基板ボックスの外周壁には、同基板ボックス内の回路基板に接続されない他の接続線を保持するための他の接続線用中継保持部が一体に形成されていることを特徴とする遊技機。」
を要旨とする。
【００６０】
前記構成において、基板ボックス内の回路基板に接続されない他の接続線を、基板ボックスの外周壁の他の接続線用中継保持部によって保持することができる。
このため、他の接続線を保持するための専用の留め具を製作して、本体枠の後側の所定位置に固定する手間を省くことができ、コスト低減に効果が大きい。
従来、本体枠を合成樹脂材によって形成し、その本体枠の後側の所定位置に、接続線用中継保持部を一体に形成した構造のものが知られている（例えば、特開２００３−２１０７００号参照）。
この場合には、他の接続線を保持するための専用の留め具を製作して、本体枠の後側の所定位置に固定する手間を省くことができるが、本体枠と一体に接続線用中継保持部を形成すると、その接続線用中継保持部が折損された場合には、その補修が厄介となる。
これに対し、端子基板、中継基板等の回路基板を収納する合成樹脂製の基板ボックスは、本体枠と比べて非常に小さく小型であるため安価に製作することができる。このため、仮に、合成樹脂製の基板ボックスの外周壁に一体に形成された他の接続線用中継保持部が折損された場合においても、その合成樹脂製の基板ボックスを、脱着交換することで容易に対処することができる。
【００６１】
他の発明２の請求項２に係る遊技機は、
「請求項１又は２に記載の遊技機であって、
基板ボックスの外周壁のうち、遊技機の中心側に位置する側壁部に、他の接続線用中継保持部が一体に形成されていることを特徴とする遊技機。」
を要旨とする。
【００６２】
前記構成において、遊技機の後側に配置される各種の装備品との干渉を避けて他の接続線の配線経路を遊技機に外縁部近傍を迂回して設定することなく、遊技機の中心側に位置して他の接続線の配線経路を設定することができる。このため、他の接続線の配線経路を短くすることが可能となる。
【００６３】
他の発明２の請求項３に係る遊技機は、
「請求項１又は２に記載の遊技機であって、
他の接続線用中継保持部は、他の接続線の配線方向に所定間隔を隔てかつ同接続線の外周面をそれぞれ支持する一対の支持片と、これら一対の支持片の間に設けられ、かつ一対の支持片と協働して前記他の接続線を挿通状態で保持するとともに、他の接続線を抜け止めする弾性抜止片と、を備え、
前記弾性抜止片は、前記一対の支持片に跨って前記他の接続線の挿通を許容する方向に弾性変形可能に形成されていることを特徴とする遊技機。」
を要旨とする。
【００６４】
前記構成において、他の接続線用中継保持部に他の接続線を挿通する場合、弾性抜止片を他の接続線の挿通を許容する方向に弾性変形させることによって、他の接続線が一対の支持片に跨って容易に挿通することができる。
また、一対の支持片と、弾性抜止片の協働による三点支持によって他の接続線を安定よく挿通状態に保持することができる。
【００６５】
他の発明２の請求項４に係る遊技機は、
「請求項１〜３に記載の遊技機であって、
遊技機の本体枠は合成樹脂材によって形成され、
前記本体枠の後側には、他の接続線を保持する配線用保持部が一体に形成され、
前記本体枠の配線用保持部は、基板ボックスの他の接続線用中継保持部よりも強固に形成され、
前記他の接続線に所定値以上の引張力が作用し、かつその引張力が前記本体枠の配線用保持部及び基板ボックスの他の接続線用中継保持部に作用したときには、前記基板ボックスの他の接続線用中継保持部が折損されることで、前記本体枠の配線用保持部の折損が回避されるように構成されていることを特徴とする遊技機。」
を要旨とする。
【００６６】
前記構成において、他の接続線に所定値以上の引張力が作用し、かつその引張力が本体枠の配線用保持部及び基板ボックスの他の接続線用中継保持部に作用したときには、基板ボックスの他の接続線用中継保持部が折損されることで、本体枠の配線用保持部を折損から回避することができる。
すなわち、本体枠の配線用保持部が折損された場合には、その補修が厄介となる。このため、本体枠と比べて非常に小さく小型で安価に製作することができる合成樹脂製の基板ボックスの他の接続線用中継保持部が折損されることで、本体枠の配線用保持部を折損から回避することができ、他の接続線用中継保持部の折損に対し、基板ボックスを脱着交換することで容易に対処することができる。
【図面の簡単な説明】
【００６７】
【図１】この発明の実施例に係る遊技機の外枠の一側に本体枠が開かれその本体枠の一側にガラス扉が開かれた状態で示す斜視図である。
【図２】同じく遊技機の本体枠に各種装置及び部材が装着された状態を斜め右上後方から示す斜視図である。
【図３】同じく下皿用球誘導体に基板ボックスが装着された状態で示す斜視図である。
【図４】同じく下皿用球誘導体に基板ボックスが装着された状態で示す正面図である。
【図５】同じく図５の（Ａ）は図４のＶ−Ｖ線に基づく平断面図、図５の（Ｂ）は図５の（Ａ）におけるＢ部の拡大図である。
【図６】同じく図４のＶＩ−ＶＩ線に基づく側断面図である。
【図７】同じく下皿用球誘導体と基板ボックスとを分離した状態で示す斜視図である。
【図８】同じくインタフェース基板が装着された基板ボックスのベース部材とカバー部材とを分離した状態で示す斜視図である。
【図９】同じく基板ボックスのベース部材、インタフェース基板及びカバー部材とを分離した状態で示す斜視図である。
【図１０】同じく下皿用球誘導体に対し基板ボックスがヒンジピンを中心として回動された状態で示す斜視図である。
【図１１】同じく本体枠の上隅部の第１、第２基板装着部に分電基板及び外部端子基板がそれぞれ装着された状態で示す斜視図である。
【図１２】同じく本体枠の上隅部の第１、第２基板装着部と分電基板及び外部端子基板が分離された状態で示す斜視図である。
【図１３】同じく分電基板と基板ボックスとを分離した状態で示す斜視図である。
【図１４】同じく分電基板が収納された基板ボックスを示す正面図である。
【図１５】同じく図１４のＸＶーＸＶに基づく基板ボックスの断面図である。
【符号の説明】
【００６８】
１０  外枠
２０  本体枠
１０１  下皿用球誘導体（ボックス装着体）
１２２  インタフェース基板（回路基板）
１３０  ベース部材
１３４  係止突部（基板係止部）
１３５  弾性係止片（基板係止部）
１３７  ヒンジ体
１３８  ヒンジピン
１４５  第１閉止用係合部
１４７  第２閉止用係合部
１５０  カバー部材
１５３  第１閉止用係合部
１５６  第２閉止用係合部
【図１】
2005279260.tif 000003
【図２】
2005279260.tif 000004
【図３】
2005279260.tif 000005
【図４】
2005279260.tif 000006
【図５】
2005279260.tif 000007
【図６】
2005279260.tif 000008
【図７】
2005279260.tif 000009
【図８】
2005279260.tif 000010
【図９】
2005279260.tif 000011
【図１０】
2005279260.tif 000012
【図１１】
2005279260.tif 000013
【図１２】
2005279260.tif 000014
【図１３】
2005279260.tif 000015
【図１４】
2005279260.tif 000016
【図１５】
2005279260.tif 000017